(57)【要約】【課題】  住宅の軒先の改修時に既設の軒樋と簡単に接続することができる軒樋継手を提供することを目的とする。【解決手段】軒樋の端部を相互に接続する軒樋継手Ａであって、継手本体１０Ａの両側片部２、３のうち一方の側片部２の上端部に耳把持部４が設けられ，該耳把持部４の先端から下方に向けて舌片５が垂設され、該舌片５と継手本体１０Ａの側片部２との間に挟持隙間６が形成されている。【選択図】      図１  
2005083020.tif 000002
【特許請求の範囲】
【請求項１】
軒樋の端部を相互に接続する軒樋継手であって、継手本体の両側片部のうち一方の側片部の上端部に耳把持部が設けられ，該耳把持部の先端から下方に向けて舌片が垂設され、該舌片と継手本体の側片部との間に挟持隙間が形成されていることを特徴とする軒樋継手。
【発明の詳細な説明】
【技術分野】
【０００１】
本発明は、軒樋の端部を相互に接続する軒樋継手に関する。
【背景技術】
【０００２】
従来から、耳把持部を有する外継手と耳把持部を有さない内継手とを相互に間隔を開けて結合してその両端部に側方に開口した軒樋端部挿入溝を形成してなる軒樋継手は知られている。
このような従来の軒樋継手は、屋根の軒先において、両側の軒樋端部挿入溝に各々側方から同一メーカーの同一規格の軒樋の端部が挿入嵌合され、両軒樋の端部が相互に接続されるものである。（例えば、特許文献１参照。）。
【０００３】
ところで、住宅の軒先の改修時に既設の軒樋の一部を取り外して新品の軒樋と交換する等の補修を行うことがことがある。この場合、既設軒樋と同一規格のものを新品の軒樋として用意する必要があるが、既設軒樋と同一規格の軒樋や軒樋継手等の部材に在庫が無いことがある。そのため、既設軒樋と略同じ寸法、形状かまたは異なる断面形状を有する新規の軒樋を用いて既設軒樋と接続することがある。
【特許文献１】実開平４−４７０２０号公報（第１２図）
【発明の開示】
【発明が解決しようとする課題】
【０００４】
しかしながら、新規の軒樋や軒樋継手において、その本体部が既設軒樋と寸法、形状の規格が類似したものであっても、耳部の形状、寸法が異なったりすると、既設の軒樋は新規の軒樋継手を介して接続することができなかった。
例えば、図１４に示すように半丸形状の軒樋（通称：半丸軒１０５）の場合、どのメーカー（Ａ社、Ｂ社  ・・・  ）の軒樋も、耳部以外は形状・寸法に殆ど差異がなく、軒樋本体部の円弧部分が接続可能であっても、軒樋継手の耳把持部では軒樋の耳部を嵌合することができなかった。
【０００５】
本発明は、このような事情に鑑みて、住宅の軒先の改修時に既設の軒樋と簡単に接続することができる軒樋継手を提供することを目的としている。
【課題を解決するための手段】
【０００６】
このような目的を達成するために、請求項１に記載の発明に係わる軒樋継手（以下、「請求項１の軒樋継手」と記す）は、軒樋の端部を相互に接続する軒樋継手であって、継手本体の両側片部のうち一方の側片部の上端部に耳把持部が設けられ，該耳把持部から下方に向けて舌片が垂設され、該舌片と継手本体の側片部との間に挟持隙間が形成されていることを特徴とした。
【発明の効果】
【０００７】
上述の通りであるので、本発明軒樋継手によれば、軒樋の端部を相互に接続する軒樋継手であって、継手本体の両側片部のうち一方の側片部の上端部に耳把持部が設けられ，該耳把持部の先端から下方に向けて舌片が垂設され、該舌片と継手本体の側片部との間に挟持隙間が形成されているので、住宅の軒先の改修時に既設の軒樋と簡単に接続することができる。
【発明を実施するための最良の形態】
【０００８】
次に、本発明の実施の形態の一例を、図１〜図１４に基づいて説明する。  
【第１実施例】
【０００９】
図１〜図８は、本発明軒樋継手の実施の形態における第１実施例を説明する図である。  図において、図１は本発明の第１実施例における軒樋継手を示す斜視図、図２は同じく軒樋継手の破断正面図、図３は図２におけるＥ−Ｅ線断面図、図４は本発明の第１実施例において使用される一方の軒樋を示す側面図、図５は本発明の第１実施例において使用される他方の軒樋を示す側面図、図６は本発明の第１実施例における軒樋継手の使用状態を説明する分解斜視図、図７は本発明の第１実施例において一方の軒樋を接続した状態を説明する側断面図、図８は本発明の第１実施例において他方の軒樋を接続した状態を説明する側断面図である。
【００１０】
図１において、この軒樋継手Ａは、耳部の形状、寸法が異なるが同一規格の半円形状の軒樋（通称；半丸軒１０５）であれば両側方から接続可能となっており、軒樋の外周面に沿うように半円形の樋状に屈曲して形成された外継手方式の継手本体１０Ａと、この継手本体１０Ａの両側片部２、３のうち一方の側片部２の上端部に耳把持部４が設けられ，この耳把持部４の先端から下方に向けて舌片５が垂設され、この舌片５と継手本体１０Ａの側片部２との間に挟持隙間６が形成されている。
【００１１】
本実施例では、両側方から接続される一方の軒樋（既設の軒樋）としては、図４に示すような半円形状の軒樋本体１１ｃの両側上縁端部に半円形の耳部１２ｃが外向きに突出して形成された半丸型の軒樋１Ｃを用いており、また、他方の軒樋（新規の軒樋）としては、図５に示すような半円形状の軒樋本体２１ｃの両側上縁端部に円形の耳部２２ｃが外向きに突出して形成された半丸型の軒樋２Ｃを用いた。
【００１２】
双方の軒樋１Ｃ、２Ｃが接続される外継手方式の軒樋継手Ａは、継手本体１０Ａの内面側に爪状の軒樋係止片４ａを相互に間隔をあけて接合部５ａで結合してもよい。この場合、継手本体１０Ａが軒樋係止片４ａの両端部よりも両側方に長く突出しており、両側方へ開口した軒樋端部挿入溝６ａが形成されている。
【００１３】
そして、継手本体１０Ａの両側片部のうち一方の側片部２の上端部に断面Ｃ字状の耳把持部４を内方に向けて一体に形成している。この耳把持部４は、接続しようとする軒樋１Ｃの規格に近似した形状寸法とされているが、余裕をもって大きめの形状寸法とされている。
【００１４】
舌片５は耳把持部４の先端から垂下した状態で継手本体１０Ａの側片部２の内周面に沿って形成されており、側片部２との間に軒樋の肉厚と略同じ寸法の挟持隙間６を設けるように形成している。
【００１５】
このような軒樋継手Ａは、図６に示すようにして軒樋が接続される。
先ず、改修時に取り替えようとする既設の軒樋や軒樋継手を軒先から取り外して、残された既設の一方の半丸型の軒樋１Ｃの端部に、新規の軒樋継手Ａを配設して軒樋継手Ａの内側に軒樋１Ｃの端部を挿入する。
【００１６】
このとき、軒樋１Ｃの両耳部１２ｃのうち片方の耳部１２ｃが軒樋継手Ａの耳把持部４に挿入されとともに、軒樋１Ｃの樋本体１１ｃもその一部が挟持隙間６ａに挿入され舌片５により押圧された状態で保持される。更にまた，軒樋端部挿入溝６ａにも軒樋１Ｃの端部を挿入して軒樋１Ｃの端部に新規の軒樋継手Ａを取り付けることができる。この場合、軒樋端部挿入溝６ａと軒樋１Ｃの間に接着剤を介在して接着してもよい。
【００１７】
続いて、既設の軒樋１Ｃに取り付けられた軒樋継手Ａの他方側に新規の半丸型の軒樋２Ｃを配設して、軒樋継手Ａの他方側から軒樋２Ｃの端部を挿入し、上記軒樋１Ｃを接続したときと同じようにして、軒樋２Ｃの片方の耳部２２ｃを軒樋継手Ａの耳把持部４に挿入するとともに軒樋２Ｃの軒樋本体２１ｃの一部を挟持隙間６に挿入し舌片５により押圧して保持する。この場合も，軒樋端部挿入溝６ａに軒樋２Ｃの端部を挿入して軒樋２Ｃの端部に新規の軒樋継手Ａを取り付ける。
【００１８】
このように、既設の軒樋１Ｃと比べて新規な軒樋２Ｃの耳部２２ｃが小さめであっても、図７〜図８に示すように、既設の軒樋１Ｃと新規の軒樋２Ｃとを軒樋継手Ａで簡単にかつ外観が見栄えよく接続することができる。
【００１９】
上記第１実施例において、継手本体１０Ａに設けられている耳把持部４の嵌合部の寸法と軒樋端部挿入溝６ａの隙間をそれぞれ余裕を持たせることにより、既設の軒樋１Ｃの規格寸法にバラツキがあっても適用可能である。また、舌片５と側片部２との間の挟持隙間６は軒樋の肉厚よりも小さい寸法とすれば、舌片５の下端を押し広げるようにして軒樋１Ｃの耳部１２ｃを軒樋継手Ａの耳把持部４に挿入するとともに、軒樋１Ｃの軒樋本体１１ｃもその一部が挟持隙間６に挿入してもよい。
【第２実施例】
【００２０】
図９〜図１３は、本発明軒樋継手の実施の形態における第２実施例を説明する図で、図において、図９は本発明の第２実施例における軒樋継手を示す斜視図、図１０は同じく軒樋継手の側面図、図１１は本発明の第２実施例における軒樋継手の使用状態を説明する分解斜視図、図１２は本発明の第２実施例において一方の軒樋を接続した状態を説明する側断面図、図１３は本発明の第２実施例において他方の軒樋を接続した状態を説明する側断面図である。
【００２１】
図９において、この軒樋継手Ｂは、耳部の形状、寸法が異なるが同一規格の半円形状の軒樋（通称；半丸軒樋１０５）であれば両側方から接続可能となっており、軒樋の内周面に沿うように半円形の樋状に屈曲して形成された内継手方式の継手本体１０Ｂと、この継手本体１０Ｂの両側片部２０、３０のうち一方の側片部２０の上端部に耳把持部４０が設けられ，この耳把持部４０の先端から下方に向けて舌片５０が垂設され、この舌片５０と継手本体１０Ｂの側片部２０との間に挟持隙間６０が形成されている。
【００２２】
本実施例では、両側方から接続される一方の軒樋（既設の軒樋）及び他方の軒樋（新規の軒樋）としては、第１実施例で説明したものと同じもので、図４及び図５に示すような半円形状の軒樋１Ｃ、２Ｃを用いた。
【００２３】
双方の軒樋１Ｃ、２Ｃが接続される内継手方式の軒樋継手Ｂは、軒樋の内周面に沿うように継手本体１０Ｂが半円形の樋状に曲成されているだけであって、この継手本体１０Ｂの両側片部のうち一方の側片部２０の上端部に断面Ｃ字状の耳把持部４０を外方に向けて一体に形成している。この耳把持部４０は、接続しようとする軒樋１Ｃの規格に近似した形状寸法とされているが、余裕をもって大きめの形状寸法とされている。
【００２４】
舌片５０は耳把持部４０の先端から垂下した状態で継手本体１０Ｂの側片部２０の内周面に沿って形成されており、側片部２０との間に軒樋の肉厚と略同じ寸法の挟持隙間６０を設けるように形成している。
【００２５】
このような軒樋継手Ｂは、図１１に示すようにして軒樋が接続される。
先ず、改修時に取り替えようとする既設の軒樋や軒樋継手を軒先から取り外して、残された既設の一方の半丸型の軒樋１Ｃの端部に、新規の軒樋継手Ｂを配設して軒樋継手Ｂの外側に軒樋１Ｃの端部を挿入する。
【００２６】
このとき、軒樋１Ｃの両耳部１２ｃのうち片方の耳部１２ｃが軒樋継手Ｂの耳把持部４０に挿入されとともに、軒樋１Ｃの軒樋本体１１ｃもその一部が挟持隙間６０に挿入され舌片５により押圧された状態で保持される。この場合、継手本体１０Ｂの外周面に接着剤を塗布してから軒樋本体１１ｃを挿入して接着固定すれば接続が確実に行われる。
【００２７】
続いて、既設の軒樋１Ｃに取り付けられた軒樋継手Ｂの他方側に新規の半丸型の軒樋２Ｃを配設して、軒樋継手Ｂの他方側から軒樋２Ｃの端部を挿入し、上記軒樋１Ｃを接続したときと同じようにして、軒樋２Ｃの片方の耳部２２ｃを軒樋継手Ｂの耳把持部４０に挿入するとともに軒樋２Ｃの軒樋本体２１ｃの一部を挟持隙間６０に挿入し舌片５０により押圧して保持する。
【００２８】
このように、既設の軒樋１Ｃと比べて新規な軒樋２Ｃの耳部２２ｃが小さめであっても、図１２〜図１３に示すように、既設の軒樋１Ｃと新規の軒樋２Ｃとを内継手方式の軒樋継手Ｂで簡単にかつ外観が見栄えよく接続することができる。
【００２９】
上記第２実施例において、舌片５０と側片部２０との間の挟持隙間６０は軒樋の肉厚よりも小さい寸法とすれば、舌片５０の下端を押し広げるようにして軒樋１Ｃの耳部１２ｃを軒樋継手Ｂの耳把持部４０に挿入するとともに、軒樋１Ｃの軒樋本体１１ｃもその一部が挟持隙間６０に挿入してもよい。
【００３０】
以上、本発明の実施の形態を図面により詳述してきたが、具体的な形態はこの実施の形態に限られものではなく、本発明の要旨を逸脱しない範囲における設計の変更等があっても本発明に含まれる。
【図面の簡単な説明】
【００３１】
【図１】本発明軒樋継手の実施形態における第１実施例を示す斜視図である。
【図２】同上軒樋継手の破断正面図である。
【図３】図２におけるＥ−Ｅ線断面図である。
【図４】本発明の第１実施例に使用される一方の軒樋を示す側面図である。
【図５】本発明の第１実施例に使用される他方の軒樋を示す側面図である。
【図６】本発明の第１実施例における軒樋継手の使用状態を説明する斜視図である。
【図７】図６において一方の軒樋を接続した状態を説明する側断面図である。
【図８】同じく図６において他方の軒樋を接続した状態を説明する側断面図である。
【図９】本発明軒樋継手の実施形態における第２実施例を示す斜視図である。
【図１０】図９における軒樋継手の側面図である。
【図１１】本発明軒樋継手の実施形態における第２実施例の使用態様を説明する斜視図である。
【図１２】図１１において一方の軒樋を接続した状態を説明する側断面図である。
【図１３】同じく図１１において他方の軒樋を接続した状態を説明する断面図である。
【図１４】本発明軒樋継手において使用される軒樋の寸法関係を示した説明図である。
【符号の説明】
【００３２】
Ａ              軒樋継手（外継手方式）
Ｂ              軒樋継手（内継手方式）                                          １０Ａ、１０Ｂ    継手本体
２、３、２０、３０      側片部
４、４０        耳把持部
５、５０        舌片
６、６０        挟持隙間
６ａ            軒樋端部挿入溝                                                  １Ｃ            一方の軒樋（既設の軒樋）  
２Ｃ            他方の軒樋（新設の軒樋）
【図１】
2005083020.tif 000003
【図２】
2005083020.tif 000004
【図３】
2005083020.tif 000005
【図４】
2005083020.tif 000006
【図５】
2005083020.tif 000007
【図６】
2005083020.tif 000008
【図７】
2005083020.tif 000009
【図８】
2005083020.tif 000010
【図９】
2005083020.tif 000011
【図１０】
2005083020.tif 000012
【図１１】
2005083020.tif 000013
【図１２】
2005083020.tif 000014
【図１３】
2005083020.tif 000015
【図１４】
2005083020.tif 000016